(57)【要約】      （修正有）【課題】自在に取り外しすることが可能なルアー用緩衝器とすることで、ルアーの使用方法や使用範囲に過度な制限を生じさせないものを提供する。【解決手段】ルアー本体１００の前部１０１に取り外し可能に取り付けられるルアー用緩衝器であって、前部の先端側に設けられたラインアイＡに挿通可能な挿通環部１１と、前記挿通環部１１から正面視にて左右各斜め下方又は鉛直下方へ伸長する複数の線材部１２と、各線材部１２と伸長先の一部で接触して線材部１２の伸長方向を保持する保持手段２とを具備してなり、前記線材部１２が保持手段２によってルアー本体１００の伸長軸に対して所定の傾斜角度α１を保つものであり、前記保持手段２は、ルアー本体１００へ着脱可能に固定される。【選択図】図１
2018174878.tif 000002
【特許請求の範囲】
【請求項１】
ルアー本体の前部に取り外し可能に取り付けられるルアー用緩衝器であって、
前部の先端側に設けられたラインアイに挿通可能な挿通環部と、
前記挿通環部から正面視にて左右各斜め下方又は鉛直下方へ伸長する複数の線材部と、
各線材部と伸長先の一部で接触して線材部の伸長方向を保持する保持手段とを具備してなり、
前記線材部が保持手段によってルアー本体の伸長軸に対して所定の傾斜角度を保つものであり、
前記保持手段は、ルアー本体へ着脱可能に固定されることを特徴とするルアー用緩衝器。
【請求項２】
前記保持手段は、ルアー本体の前方下部の固定部に上部固定される板状のリップからなり、
前記リップは、正面視にて固定部から下部に向かって幅広となる部分を有した板形状からなり、
前記線材部は、リップよりも前方であって、ルアー本体の正面視にてリップの前記板形状の幅の内側を直線状又は曲線状に亘り、リップの下部又は側部に係止固定されてなることを特徴とする請求項１記載のルアー用緩衝器。
【請求項３】
前記保持手段は、ルアー本体の前方下部の固定溝内に固定される板状のリップからなり、
前記リップは、上部から下部に向かって幅広となる略台形部分を有した板形状からなり、
前記線材部は、張り出し端に、リップへ係止固定可能な係止端部を備え、
前記係止端部は、リップの下部又は側部に係止解除可能に係止固定されることを特徴とする請求項１又は請求項２記載のルアー用緩衝器。
【請求項４】
前記保持手段は、ルアー本体の前方下部の固定溝内に固定される線材状の後方線材部からなり、
前記後方線材部は、固定溝への固定部から正面視にて左右各斜め下方へ伸長し、その伸長先で屈曲して前記線材部の下端と連なることを特徴とする請求項１記載のルアー用緩衝器。
【請求項５】
前記線材部は、側面視にて鉛直下方、下斜め前方、または下斜め後方のうちいずれかの方向に伸長し、前記保持手段は側面視にて鉛直下方、下斜め前方のうちいずれかの方向に張り出して伸長し、線材部と保持手段の各伸長先が合流して固定されるか又は一体的に連なることを特徴とする請求項１記載のルアー用緩衝器。
【発明の詳細な説明】
【技術分野】
【０００１】
本発明は、釣り用ルアーに取り付けて使用するルアー用緩衝器、及び、これを備えたルアーに関する。
【背景技術】
【０００２】
水中や水面に水草や根株がある場合、釣り用ルアーを水底や水面付近で動かすと、動かし方や水草の状態によっては水草が絡んだり根掛かりしたりする。このルアーの水草の緩衝或いは根掛かりに関し、従来、以下のものが開示される。
【先行技術文献】
【特許文献】
【０００３】
【特許文献１】特開２００７−３００９３９号公報
【発明の開示】
【発明が解決しようとする課題】
【０００４】
しかしながら、前記従来のものはいずれもルアーに固定されるものであり、使用者の意志で自在に取り外しできなかった。このため、ルアーの使用方法や使用範囲に制限が生じ、例えば水底付近を動かす場合や水面付近を動かす場合、中層を動かす場合、或いは各位置での動かし方などを自由に切り替えることが困難であった。
また従来のものは一定の方向に伸びた水草や根株に対する根掛かり抑制の機能があっても、他の方向に伸びた水草や根株に対する抑制の機能に欠けるなど、水草や根株の状況によって根掛かりの抑制機能に差が生じてしまっていた。
【０００５】
そこで本発明では、使用者の意志で自在に取り外しすることが可能なルアー用緩衝器とすることで、ルアーの使用方法や使用範囲に過度な制限を生じさせないものを提供することを課題とする。
例えば水底付近を動かす場合や水面付近を動かす場合、中層を動かす場合、或いは各位置での動かし方などを自由に切り替えることを可能とする。
また、水草や根株の状況によっても一定の根掛かりの抑制機能を発揮できるものを提供することを課題とする。例えば一定の方向に伸びた水草や根株だけでなく、異なる方向に伸びた水草や根株に対しても安定して根掛かり抑制の機能を発揮することを可能とする。
【課題を解決するための手段】
【０００６】
上記課題を解決すべく本発明では以下の手段を講じている。なお、以下の各構成名称に続けてカッコ書きで記載する数字列ないしアルファベットは、各図面における相当構成を参酌して理解するため便宜的に付した符号であり、これによって形状を限定したり概念を特定したりするものではない。
本発明に係るルアー用緩衝器は、ルアー本体（１００）の前部（１０１）に取り外し可能に取り付けられるルアー用緩衝器であり、前部の先端側に設けられたラインアイ（Ａ）に挿通可能な挿通環部（１１）と、挿通環部（１１）から正面視にて左右各斜め下方又は鉛直下方へ伸長する複数の線材部（１２）と、各線材部（１２）と伸長先の一部で接触して線材部（１２）の伸長方向を保持する保持手段（２／１４／１６）とを具備してなる。また、線材部（１２）が保持手段（２／１４／１６）によってルアー本体（１００）の伸長軸に対して所定の傾斜角度α１を保つものであり、保持手段（２／１４／１６）は、ルアー本体（１００）へ着脱可能に固定されることを特徴とする。
【０００７】
また、本発明に係るルアー用緩衝器は、保持手段がルアー本体（１００）の前方下部の固定部に上部固定される板状のリップ（２）からなる。リップ（２）は、正面視にて固定部から下部に向かって幅広となる部分を有した板形状からなる。線材部（１２）は、リップ（２）よりも前方であって、ルアー本体（１００）の正面視にてリップ（２）の板形状の幅の内側を直線状又は曲線状に亘り、リップ（２）の下部又は側部に係止固定されてなることを特徴とする。なお、この板形状は、さらに好ましくは全体として上端側よりも下端側が幅広となる略台形形状の板形状である。
【０００８】
また、本発明に係るルアー用緩衝器は、保持手段がルアー本体（１００）の前方下部の固定溝（Ｄ）内に固定される板状のリップ（２）からなる。リップ（２）は、上部（固定溝Ｄへの固定部）から下部に向かって幅広となる略台形の部分を有した板形状からなる。線材部（１２）は、張り出し端に、リップ（２）へ係止固定可能な係止端部（１３）を備える。係止端部（１３）は、リップ（２）の下部又は側部に係止解除可能に係止固定されることを特徴とする。
【０００９】
また、本発明に係るルアー用緩衝器は、保持手段がルアー本体（１００）の前方下部の固定溝（Ｄ）内に固定される線材状の後方線材部（１４）からなる。後方線材部（１４）は、固定溝Ｄへの固定部（１６）から正面視にて左右各斜め下方へ伸長し、その伸長先で屈曲して前記線材部（１２）の下端と連なることを特徴とする。
【００１０】
また、本発明に係るルアー用緩衝器は、線材部（１２）が側面視にて鉛直下方、下斜め前方、または下斜め後方のうちいずれかの方向に伸長し、リップ（２）又は後方線材部（１４）は側面視にて鉛直下方、下斜め前方のうちいずれかの方向に張り出し、各伸長先が合流して固定されるか又は一体的に連なることを特徴とする。
【発明の効果】
【００１１】
本発明は上記手段を講じることで、使用者の意志で自在に取り外しすることが可能となり、ルアーの使用方法や使用範囲に過度な制限を生じさせないルアー用緩衝器となった。例えばルアー用緩衝器を取外したり、或いは異なる形状やサイズのものと交換することで、例えば水底付近を動かす場合や水面付近を動かす場合、中層を動かす場合、或いは各位置での動かし方などを自由に切り替えることも可能となった。
また、線材部が特定の傾斜角度を保ってルアーの前方下部に固定されるため、水草や根株の伸び方等の状況によっても一定の根掛かりの抑制機能を発揮できるものとなった。例えば、取り外しして異なる形状やサイズのものと交換することで、一定の方向に伸びた水草や根株だけでなく、異なる方向に伸びた水草や根株に対しても安定して根掛かり抑制の機能を発揮することを可能とする。
また特に、ルアー本体を前方と後方とで可動連結したものであれば、ルアーを前方へ引くことで、ルアー頭部が線材部との傾斜角度を保ったまま、ルアーの挙動によってルアー頭部のみが根掛かりしない方向へ角度を自動的に変えることとなる。これにより、根掛かりの抑制機能をより一層安定して発揮することができる。
【図面の簡単な説明】
【００１２】
【図１】第１実施形態に係るルアー用緩衝器を備えたルアーの側面図である。
【図２】第１実施形態に係るルアー用緩衝器を備えたルアーの正面図である。
【図３】第１実施形態に係るルアー用緩衝器を備えたルアーの分解正面図である。
【図４】第１実施形態に係るルアー用緩衝器を備えたルアーの動作を説明する図である。
【図５】第２実施形態に係るルアー用緩衝器を備えたルアーの側面図である。
【図６】第２実施形態に係るルアー用緩衝器を備えたルアーの分解側面図である。
【図７】第２実施形態に係るルアー用緩衝器を備えたルアーの動作を説明する図である。
【図８】その他の実施形態に係るルアー用緩衝器を示す図である。
【図９】その他の実施形態に係るルアー用緩衝器を示す図である。
【発明を実施するための形態】
【００１３】
以下、本発明に係るルアー用緩衝器及びこれを備えたルアーの実施形態について、実施例として示す図面と共に説明する。なお、以下の各構成名称に続けて記載する数字列ないしアルファベットは、各図面における相当構成を参酌して理解するため便宜的に付した符号であり、これによって形状を限定したり概念を特定したりするものではない。
＜第１実施形態＞
以下、本発明に係るルアー用緩衝器及びこれを備えたルアー１００の第１実施形態について図１〜図４を参照して説明する。
【００１４】
＜ルアー本体１００＞
初めに、ルアー本体１００について説明する。ルアー本体１００は、図１に示すように、魚を模したいわゆるイミテーションルアーであり、主に頭部である第１ボディ１０１と、腹部である第２ボディ１０２と、尾部である第３ボディ１０３とを備える。各ボディ間は、連結環１０５により互いに屈曲自在に連結されている。このように、ルアー本体１００を第１〜第３ボディ１０１〜１０３に分割し、各ボディ１０１〜１０３を連結環１０５に連結することで潜水時にすべらかな動きをルアー本体１００に与えることができる。
【００１５】
また、各ボディ１０１〜１０３の下部にはフックアイ１０４が各々設けられており、このフックアイ１０４に釣り針Ｈが連結されている。また、本実施形態では、フックアイア１０４に釣り針Ｈとして、魚がかかりやすいトレブルフック（三本鉤）が連結されており、また、鉤には、かえしが無い（スレ針、バーブレスフック）。釣り針Ｈは、かえしがないぶん刺さりがよいうえに、キャッチアンドリリース時に魚体へ与えるダメージが少なく、捕食を目的としないスポーツフィッシング等においての利用に好適である。また、魚を取り外す手間がかからないので、魚群から連続的に魚を釣り上げる遠洋カツオ一本釣り漁業などでも利用できる。なお、かえしの有る鉤を釣り針Ｈとして用いてもよい。
【００１６】
第１ボディ１０１（頭部）は、先端側の顎下に釣り糸を挿通するためのラインアイＡを備えている。また、本実施形態のルアー本体１００は、第１ボディ１０１の口元に当たる部分に固定溝Ｄを有している。
【００１７】
＜ルアー用緩衝器＞
次に、ルアー用緩衝器について説明する。本実施形態のルアー用緩衝器は、図１に示すように、第１ボディ１０１の先端側（顎下）に設けられたラインアイＡに挿通可能な挿通環部１１と、図２に示すように、挿通環部１１から正面視にて左右各斜め下方又は鉛直下方へ伸長する複数（実施形態では２本）の直線状の線材部１２と、各線材部１２と伸長先の一部で接触して線材部１２の伸長方向を保持するリップ２とからなる。
【００１８】
リップ２は、ルアー用緩衝器の保持手段でありプラスチックを含む樹脂製の舌状部品である。このリップ２は、第１ボディ１０１の口元に当たる部分に固定溝Ｄに着脱可能に嵌合されている。ルアー本体１００を引くと、このリップ２の板面２２が水流を受けて、水を逃がすように左右に体を振動させながら浅く潜水する。なお、ほとんどが水に浮くフローティングタイプだが、ごくわずか水中で停止するサスペンドタイプ、水に沈むシンキングタイプなどがある。
【００１９】
より具体的には、リップ２は、図２に示すように、ルアー本体１００の前方下部の固定部に上部固定され、正面視にて固定部から下部に向かって幅広となる部分を有し、全体として上端側よりも下端側が幅広となる台形形状の板形状からなる。また、リップ２の本体１００に固定される固定端とは反対側の自由端側の左右には、後述するルアー用緩衝器を係止するための係止部２３が各々設けられている。係止部２３は、内部に係止穴を有する筒状体からなる。このようなリップ２をルアー本体１００の前方下部に固定した場合、ルアーをひくとリップ２にあたる水流により、ルアー本体１００の第１ボディ１０１（頭部）には下向きの力がかかる。このため、本実施形態では、ルアー用緩衝器を取り付けた場合、ルアーをひくとルアー本体１００が水中に潜る（潜水する）ようにして動作する。
【００２０】
挿通環部１１および線材部１２とは、直線状の線材を折り曲げ加工することにより構成されており、各線材部１２は、端部から所定の距離で屈曲した係止端部１３を有する。なお、挿通環部１１および線材部１２を構成する線材は、焼入れ等により弾性を有していることが好ましい。
【００２１】
このルアー用緩衝器の挿通環部１１を第１ボディ１０１の先端側（顎下）に設けられたラインアイＡに挿通し、線材部１２の先端に設けられた係止端部１３を、各々リップ２の係止部２３の係止穴に挿通することで、ルアー用緩衝器がルアー本体１００の第１ボディ１０１の先端部に固定される。ここで、図１に示すように、リップ２の第１ボディ１０１への固定位置と、挿通環部１１を挿通固定するラインアイＡの位置とが異なるために、側面視において線材部１２がリップ２２によってルアー本体１００の伸長軸Ｘに対して所定の傾斜角度α１を保つものとなる。また、側面視において、リップ２は、ルアー本体１００の伸長軸Ｘに対して所定の傾斜角度α２をもって前方へ延伸するように固定されているため、線材部１２とリップ２２の板面２２との間に所定の傾斜角度β１が保たれる。
【００２２】
なお、本発明において、伸長軸Ｘとは、ルアー本体１００の先端と、ルアー本体１００の後端部の軸断面（伸長軸に対して垂直な断面）の図心を通る伸長方向の中心軸のことをいう。但し、後端部の軸断面とは、一体的なルアー構造体（ルアー頭部１０１の後部に離間連結された部品がある場合はルアー頭部１０１）の後部付近（全長に対する後部の三分の一以下の範囲内）における、伸長軸に対して垂直な軸断面であって、最大断面積を有する部分のことをいう。
【００２３】
ここで、傾斜角度α１は６０°〜１１０°の範囲から設定された角度であることが好ましい。実施形態では傾斜角度α１は８０°〜９０°の範囲から設定された角度となっている。この傾斜角度を保つため、上述したように、リップ２は、ルアー本体１００のラインアイＡよりも後方の固定溝Ｄに固定されて下方に張り出し、当該リップ２の張り出し先で線材部１２の下端を係止保持するものとなっている。
【００２４】
また、２本の線材部１２は、リップ２の両側辺に沿ってそれぞれ伸長する位置に固定されていることが好ましい。実施形態１の線材部１２は、リップ２の前方を、ルアー本体１００の伸長軸に対して一定の傾斜角度で直線状に亘る構造となっている。但し、この傾斜角度はリップ２の取付け傾斜角度α２（ルアーの伸長軸Ｘに対するリップ２の伸長方向Ｚ２の開き角度）よりも小さいことが好ましい。また、実施形態１では線材部１２の傾斜角度α１が８０°〜９０°の範囲から設定された角度、リップ２の傾斜角度α２が４０°〜６０°の範囲から設定された角度となっており、傾斜角度の差は２０°以上となっている。
【００２５】
図３は、ルアー本体１００からルアー用緩衝器を取り外した状態を示す正面図である。ここでは、図３を参照して、ルアー本体１００にルアー用緩衝器を取り付ける方法について説明する。初めに、リップ２の溝固定部２１をルアー本体１００の第１ボディ１０１の下端側に設けられた固定溝Ｄに嵌合させ、リップ２をルアー本体１００に固定する。次いで、２本の線材部１２のうち、一方の係止端部１３を第１ボディ１０１の先端側（顎下）に設けられたラインアイＡに挿通し、続いて、線材部１２をラインアイＡに通して、ラインアイＡを挿通環部１１に挿通させる。次いで、２本の線材部１２の先端に設けられた係止端部１３を、各々リップ２の係止部２３の係止穴に挿通して係止することで、ルアー用緩衝器がルアー本体１００の第１ボディ１０１の先端部に固定される。
【００２６】
図４は、第１実施形態に係るルアー用緩衝器を備えたルアーの動作を説明する図である。ルアーフィッシングは、リールを巻きながらルアーを水中で動かして、その動きを演出することが必要になるが、魚は岩や石が多い場所や水草が多い場所等に好んで生息する。このため、魚のいるポイントでルアーを操作すると、上記したように釣り針Ｈがトレブルフックであることも相まって、いわゆる根がかりが起こりやすい。根がかりには、リップ２が岩類ＲＣや小石類ＳＳの隙間に挟まるケースと、釣り針Ｈが岩類ＲＣや小石類ＳＳあるいは水草類ＷＷ等にかかるケースがあるが、いずれの場合も、最終的に根がかりを外すことができなければラインＬ（釣糸）を切ってルアー本体１００を水中に残すことになる。
【００２７】
図４に示すように、リール（図示省略）を回すと、ルアー本体１００はラインＬに引かれて水中で移動するが、図４に示すように、ルアー本体１００が水底まで移動したときに、水草類ＷＷや小石類ＳＳ、岩類ＲＣに当たることがある。しかしながら、本実施形態では、ルアー本体１００にルアー用緩衝器を取り付けており、かつ、このルアー用緩衝器が弾性を有する。このため、図４に示すように、小石類ＳＳに当たった場合は、ルアー用緩衝器により小石類ＳＳが弾かれる。また、水草類ＷＷの場合は、ルアー用緩衝器により水草類ＷＷがルアー本体１００の外側方向へと掻き分けられる。さらに、岩類ＲＣに当たった場合は、ルアー用緩衝器によりルアー本体１００が岩類ＲＣから遠ざかる方向へと弾かれる。このため、リップ２が岩類ＲＣや小石類ＳＳ、水草類ＷＷの隙間７０に挟まったり、釣り針Ｈが岩類ＲＣや小石類ＳＳの表面や水草類ＷＷにかかってしまう根がかりを防止できる。
【００２８】
以上のように、本実施形態では、ルアー用緩衝器をルアー本体１００から取外し可能とすることで、使用者の意志で自在に取り外しすることが可能となり、ルアーの使用方法や使用範囲に過度な制限を生じさせないルアー用緩衝器とすることができる。例えば、ルアー用緩衝器を取外したり、或いは異なる形状やサイズのものと交換することで、水底付近を動かす場合や水面付近を動かす場合、中層を動かす場合、或いは各位置での動かし方などを自由に切り替えることが可能である。
【００２９】
また、線材部１２が特定の傾斜角度α１を保ってルアーの前方下部に固定されるため、水草類や根株の伸び方等の状況によっても一定の根掛かりの抑制機能を発揮できるものとなった。例えば、取り外しして異なる形状やサイズのものと交換することで、一定の方向に伸びた水草や根株だけでなく、異なる方向に伸びた水草や根株に対しても安定して根掛かり抑制の機能を発揮することを可能とする。また、ルアー本体１００を前方と後方とで可動連結したものであれば、ルアー本体１００を前方へ引くことで、ルアー頭部（第１ボディ１０１）が線材部１２との傾斜角度を保ったまま、ルアーの挙動によってルアー頭部のみが根掛かりしない方向へ角度を自動的に変えることとなる。これにより、根掛かりの抑制機能をより一層安定して発揮することができる。
【００３０】
＜第２実施形態＞
以下、本発明に係るルアー用緩衝器及びこれを備えたルアー１００の第２実施形態について図５〜図６を参照して説明する。なお、以下の説明では、図１〜図４を参照して説明した構成と同一の構成には同一の符号を付して重複する説明を省略する。
【００３１】
第１実施形態では、図２に示すように、ルアー用緩衝器の保持手段が台形形状の板形状からなるリップ２であったが、この第２実施形態では、図５に示すように、ルアー用緩衝器の保持手段がルアー本体１００の前方下部の固定溝Ｄ内に固定される線材状の後方線材部１４からなることを特徴としている。ここで後方線材部１４は、図６に示すように、図固定溝Ｄへの固定部１６から正面視にて左右各斜め下方へ伸長し、その伸長先で屈曲して屈曲部１２４を構成して線材部１２の下端と連なっている。また、固定部１６は中空の筒状体からなり、後方線材部１４の端部１５を固定部１６の中空内に挿通することで連結（一体化）されている。
【００３２】
このように、第２実施形態では、ルアー用緩衝器の保持手段が台形形状の板形状からなるリップ２であったが、この第２実施形態では、ルアー用緩衝器の固定手段としてルアー本体１００の前方下部の固定溝Ｄ内に固定される線材状の後方線材部１４からなるため、第１実施形態のルアー用緩衝器のように、ルアーをひいてもリップ２にあたる水流により、ルアー本体１００の第１ボディ１０１（頭部）には下向きの力がかかることがない。このため、本実施形態では、図７に示すように、ルアーをひくとルアー本体１００が水中に潜ることなく、水面付近を動くこととなる。なお、その他の効果については、第１実施形態のルアー用緩衝器と同じである。
【００３３】
＜その他の実施形態＞
図８及び図９は、その他の実施形態に係るルアー用緩衝器の構成を示す図である。図８にでは、線材部１２は、側面視にて下斜め前方の方向に伸長し、リップ２は側面視にて前方側に大きく張り出す形態となっている。ここで、図８には、３つのルアー用緩衝器の構成が例示されている。構成１Ａでは、ルアー用緩衝器の線材部１２が、リップ２よりも前方であって、ルアー本体１００の正面視（前面視）にてリップ２の板形状の幅の内側を直線状に亘りリップ２の下部に固定される形態が図示されている。また、構成１Ｂでは、ルアー用緩衝器の線材部１２が、リップ２よりも前方であって、ルアー本体１００の正面視（前面視）にてリップ２の板形状の幅の内側を前方側に湾曲するようにして亘りリップ２の下部に固定される形態が図示されている。また、構成１Ｃでは、ルアー用緩衝器の線材部１２が、リップ２よりも前方であって、ルアー本体１００の正面視（前面視）にてリップ２の板形状の幅の内側を直線状に亘り、突出部１３によりリップ２の下部に固定される線材部１２と、両端がこの線材部１２の下端部に一体的に連なり、中央部が前方側に膨出するようにして湾曲する第１湾曲線材部１２Ｃと、一端が挿通環部１１の下部に一体的に連なるとともに、前方側に膨出するようにして湾曲し、他端が第１湾曲線材部１２Ｃの湾曲の頂部に一体的に連なる第２湾曲線材部１７とで構成される形態が図示されている。また、図９には、図８で示した構成１Ｃのルアー用緩衝器の線材部１２が、固定手段となるリップ２によりルアー本体１００に固定されている例を示している。
【００３４】
図８に示す構成１Ｂでは、線材部１２が前方側に湾曲するようにして亘りリップ２の下部に固定されている。つまり線材部１２が曲線により構成されているので、リップ２が岩類ＲＣや小石類ＳＳ、水草類ＷＷの隙間７０に挟まったり、釣り針Ｈが岩類ＲＣや小石類ＳＳの表面や水草類ＷＷにかかってしまう根がかりをより効果的に防止することができる。また、図８に示す構成１Ｃでは、２本の線部材１２に加えて、両端がこの線材部１２の下端部に一体的に連なり、中央部が前方側に膨出するようにして湾曲する第１湾曲線材部１２Ｃと、一端が挿通環部１１の下部に一体的に連なるとともに、前方側に膨出するようにして湾曲し、他端が第１湾曲線材部１２Ｃの湾曲の頂部に一体的に連なる第２湾曲線材部１６とを備えている。このため、リップ２が岩類ＲＣや小石類ＳＳ、水草類ＷＷの隙間７０に挟まったり、釣り針Ｈが岩類ＲＣや小石類ＳＳの表面や水草類ＷＷにかかってしまう根がかりをより効果的にさらに効果的に防止することができる。なお、その他の効果については、第１，第２実施形態のルアー用緩衝器と同じである。
【００３５】
（その他の実施形態）
本発明のいくつかの実施形態を説明したが、各実施形態に示した構成、各種条件に限定されることはなく、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３６】
例えば、上記実施形態では、ルアー本体１００を第１ボディ１０１（頭部）、第２ボディ１０２（腹部）、第３ボディ１０３（尾部）の３つに分かれているが、ルアー本体１００全体が一つの一体化されたボディであってもよい。また、図８に示す例では、側面視において、線材部１２が前方側に張り出す（膨出する）ようにして湾曲しているが、正面視において、線材部１２が側方側に張り出す（膨出する）ようにして湾曲していてもよい。
【００３７】
また、上記実施形態では、線材部１２は、挿通環部１１から正面視にて左右各斜め下方へ伸長しているが、挿通環部１１から正面視にて鉛直下方に伸長する構成としてもよい。また、上記実施形態では、線材部１２は、側面視にて下斜め前方に伸長しているが、鉛直下方または下斜め後方のうちいずれかの方向に伸長する構成としてもよい。さらに、上記実施形態では、リップ２又は後方線材部１４は、側面視にて下斜め前方に伸長しているが、鉛直下方または下斜め後方のうちいずれかの方向に伸長する構成としてもよい。
【符号の説明】
【００３８】
１００  ルアー本体
１０１  第１ボディ
１０２  第２ボディ
１０３  第３ボディ
１０４  フックアイ
１０５  ボディ連結環
１００Ｈ  釣り針
Ｄ  固定溝
Ａ  ラインアイ
１  緩衝体
１１  挿通環部
１２  線材部
１２Ｃ  中央線材部
１３  係止端部
１４  後方線材部（保持手段）
１６  固定部（固定解除構造）
１７  第２湾曲線材部
２  リップ（保持手段）
２１  溝固定部（固定解除構造）
２２  板面
２３  係止部
ＲＣ  岩類
ＷＷ、ＷＡ  水草類
ＳＳ  小石類
【図１】
2018174878.tif 000003
【図２】
2018174878.tif 000004
【図３】
2018174878.tif 000005
【図４】
2018174878.tif 000006
【図５】
2018174878.tif 000007
【図６】
2018174878.tif 000008
【図７】
2018174878.tif 000009
【図８】
2018174878.tif 000010
【図９】
2018174878.tif 000011